(57)【要約】【課題】シリンジチップの滅菌処理の手間を削減し、視覚的にも衛生的な歯科治療用シリンジのカバー体およびそれを用いた歯科治療用シリンジを提供する。【解決手段】カバー体１は、管状体の一部が可撓性を有するものであり、通常、曲折部２ｂにより曲折されて形成されているシリンジチップ２に容易に適合可能である。このようなカバー体１の内面をシリンジチップ２の外面に挿通させることにより、シリンジチップ２の外面をカバー体１により被覆する。被覆された状態でシリンジチップ２を口内へ挿入し、各種歯科治療を行う。次の患者に対しては、カバー体１をシリンジチップ２から取り外し、カバー体１を廃棄して、新しいカバー体１に付け替える。【選択図】          図１
2004201742.tif 000002
【特許請求の範囲】
【請求項１】
歯科治療用シリンジのシリンジ本体に取り付けられた口内挿入用のシリンジチップを被覆可能な、少なくとも一部が可撓性を有する管状体であることを特徴とする歯科治療用シリンジのカバー体。
【請求項２】
耐水性を有する紙により形成されることを特徴とする請求項１記載の歯科治療用シリンジのカバー体。
【請求項３】
一端部が蛇腹状に形成されて前記可撓性を有することを特徴とする請求項１または２記載の歯科治療用シリンジのカバー体。
【請求項４】
請求項１〜３のいずれかに記載の歯科治療用シリンジのカバー体が口内挿入用のシリンジチップに装着されたことを特徴とする歯科治療用シリンジ。
【請求項５】
前記カバー体は、前記シリンジチップにおける口内挿入側の先端部より所定間隔だけ残して装着されることを特徴とする請求項４記載の歯科治療用シリンジ。
【発明の詳細な説明】
【０００１】
【発明の属する技術分野】
本発明は歯科治療用シリンジのカバー体および歯科治療用シリンジに関する。
【０００２】
【従来の技術】
歯科治療に用いられる３ウェイ（水／空気／霧）シリンジやバキュームシリンジ等の歯科治療用シリンジが知られている。図３は従来の歯科治療用３ウェイシリンジを示す概略図である。従来の歯科診療用３ウェイシリンジは、図３に示すように、シリンジ本体３にシリンジチップ２がナット４により固定されている。シリンジチップ２は、ボタン５を押下して口内へ空気や水等を送り込んだりするためのノズル状の治具であり、直接口内へ挿入し、歯科治療を行うものである。
【０００３】
従来のシリンジチップ２においては、当初、ステンレスにより形成されたものが多く用いられていた。歯科治療中は、口内からの出血によりシリンジチップ２に血液が付着したり、口内にある細菌等が付着する場合もあるため、衛生上、一人の患者の治療を終える度にオートクレープ等による滅菌処理を行う必要がある。
【０００４】
しかし、患者ごとに滅菌処理するのは時間と手間がかかるため、滅菌時間の短縮やアルコール消毒で済ませる等、必ずしも衛生的に完全ではない場合があった。これを解決するため、下記特許文献１のように、プラスチック製のシリンジチップ２を用いて、シリンジチップ２を患者ごとに使い捨てることとする各種歯科治療用シリンジが公知となっている。
【０００５】
【特許文献１】
特開平９−１４０７３１号公報
【０００６】
【発明が解決しようとする課題】
しかし、このようなプラスチック製のシリンジチップ２は使い捨てるには依然として高価であり、使い捨て用のプラスチック製シリンジチップ２であっても再使用される場合があった。プラスチック製のシリンジチップ２を再使用する場合には、プラスチック製のシリンジチップ２においても滅菌処理する必要が生じるため、ステンレス製のシリンジチップ２を滅菌処理するのと同様の手間と時間がかかり、結果的に衛生上の課題を克服するには至らないこととなる場合があった。
【０００７】
また、最近、患者である一般人の衛生に対する関心度、認識度も高まってきており、ステンレス製のシリンジチップ、プラスチック製のシリンジチップの何れを用いた場合であっても、適正に滅菌処理されているのか、または、毎回使い捨てられているのかについて患者に疑心を抱かれる等、視覚的にも衛生上の不安が生じる場合があった。
【０００８】
本発明は、かかる従来技術の問題点を解決するべくなされたもので、シリンジチップの滅菌処理の手間を削減し、視覚的にも衛生的な歯科治療用シリンジのカバー体およびそれを用いた歯科治療用シリンジを提供することを目的とする。
【０００９】
【課題を解決するための手段】
本発明に係る歯科治療用シリンジのカバー体は、歯科治療用シリンジのシリンジ本体に取り付けられた口内挿入用のシリンジチップを被覆可能な、少なくとも一部が可撓性を有する管状体であるものである。
【００１０】
本発明のカバー体は、管状体の一部が可撓性を有するものであり、通常、曲折されて形成されているシリンジチップに容易に適合可能である。この管状体の内面をシリンジチップの外面に挿通させることにより、シリンジチップの外面をカバー体により被覆する。被覆された状態でシリンジチップを口内へ挿入し、各種歯科治療を行う。次の患者に対しては、カバー体をシリンジチップから取り外し、カバー体を廃棄して、新しいカバー体に付け替える。
【００１１】
このように、カバー体をシリンジチップに被覆することにより、シリンジチップ自体に血液等が付着するのを防止することができ、シリンジチップの滅菌処理の手間を大幅に削減することができる。また、カバー体を使い捨てることによって、衛生的にも清潔で、また、視覚的にも患者に安心感を与えることができる。
【００１２】
なお、このカバー体の材質としては、プラスチック製のシリンジチップよりも安価に制作できるものであればよく、例えば、紙、ポリプロピレン、ラテックスゴム、またはこれらを組み合わせて形成される複合体等が挙げられる。
【００１３】
また、シリンジの用途は、特に限定されるものではなく、水／空気／霧が切替えられる３ウェイシリンジ、レジン塗布用のシリンジ等、いずれの歯科治療用シリンジのためのノズル状のシリンジチップにも適用可能である。また、吸引用のバキューム管およびそのためのチップ等の用途にも適用可能である。
【００１４】
さらに、被覆対象のシリンジチップは、ステンレス製、プラスチック製、その他材質を問うものではなく、いずれのシリンジチップに対しても適用可能である。
【００１５】
好ましくは、耐水性を有する紙により形成されるように構成される。
【００１６】
この場合、カバー体は、少なくとも一面に蝋等による防水膜が形成されて、耐水性を有した紙を筒状に丸めること等により形成される。紙を用いることにより、コストを低減することができるとともに、リサイクル可能であるため、省資源化を図ることができる。
【００１７】
好ましくは、一端部が蛇腹状に形成されて前記可撓性を有するように構成される。
【００１８】
特に、紙やポリプロピレン等、可撓性が優れていない材料により、カバー体を形成する場合に有効である。また、一端部から所定位置（例えば、装着時にシリンジチップの曲折部付近）まで蛇腹状とすることにより、シリンジチップに曲折部が存在しても容易に装着することができる。
【００１９】
また、本発明に係る歯科治療用シリンジは、上記の歯科治療用シリンジのカバー体が口内挿入用のシリンジチップに装着されるように構成される。
【００２０】
この場合、使い捨て容易なカバー体によってシリンジチップが被覆されることにより、シリンジチップに血液等が付着することが抑制される。
【００２１】
したがって、使い捨て容易なカバー体を備えることにより、シリンジチップ本体の滅菌のための手間と時間を大幅に削減することができる。
【００２２】
好ましくは、前記カバー体は、前記シリンジチップにおける口内挿入側の先端部より所定間隔だけ残して装着されるように構成される。
【００２３】
この場合、カバー体の装着時、シリンジチップにおける口内挿入側の先端部は、所定間隔だけカバー体によって被覆されない状態が保たれる。シリンジチップの口内挿入側の先端部には、水噴射口や、空気噴射口等の噴射口がある場合が多く、治療時の多くは、水、空気等が噴射されており、衛生上問題となる血液や細菌等は、当該先端部には、付着し難い。一方、シリンジチップの側面部は、治療時口内にあって、治療によって口内に拡散した血液や細菌等が付着し易い。
【００２４】
したがって、カバー体を当該先端部から所定間隙だけ残して装着することにより、この噴射口から各種噴射物が噴射する際に装着されたカバー体が当該噴射の勢いにより外れてしまうことを防止しつつ、シリンジチップ自体に血液等が付着するのを防止することができ、シリンジチップの滅菌処理の手間を大幅に削減することができる。
【００２５】
【発明の実施の形態】
以下、添付図面を参照しつつ、本発明の一実施の形態を説明する。本実施形態においては、水／空気／霧が切替えられる３ウェイシリンジについて説明する。図１は本発明の一実施の形態における歯科治療用３ウェイシリンジを示す概略図である。図１（ａ）はシリンジ全体の概略図であり、図１（ｂ）は図１（ａ）のシリンジチップの口内挿入側の先端部の拡大斜視図であり、図１（ｃ）は図１（ｂ）の側面図である。
【００２６】
図１の３ウェイシリンジは、シリンジ本体３と、口内挿入用のシリンジチップ２と、シリンジチップ２をシリンジ本体３に取り付けるためのナット４と、水／空気／霧（水および空気の同時噴射）のいずれを噴射させるかを切り替える切替スイッチ５とを具備する。切替スイッチ５を押下することで歯科ユニット（図示せず）から供給ホース（図示せず）を通じてシリンジ本体３に供給された所定の水等をシリンジチップ２の口内挿通側の先端部の噴射口から噴射させる。本実施の形態においては、図１（ｂ）に示されるように、水噴射用の水噴射口２ｗおよび空気噴射用の複数の空気噴射口２ａを備え、水・空気双方を噴射したときに霧状になるように形成されている。
【００２７】
本実施の形態に係る歯科治療用シリンジのカバー体１は、図１に示すように、歯科治療用シリンジのシリンジ本体３に取り付けられた口内挿入用のシリンジチップ２を被覆可能で、少なくとも一部が可撓性を有する管状体であるものである。
【００２８】
図１のカバー体１は、管状体の一部が可撓性を有するものであり、通常、曲折部２ｂ（図３参照）により曲折されて形成されているシリンジチップ２に容易に適合可能である。本実施の形態においては、カバー体１の一端部が蛇腹状となり蛇腹部１ａを形成している。
【００２９】
本実施の形態においては、カバー体１の材料として耐水性の紙を用いており、このような紙は、可撓性が優れていないため、蛇腹部１ａをカバー体１に形成することにより可撓性を得ることは有効である。また、一端部から所定位置（図１においては、装着時にシリンジチップ２の曲折部２ａ付近）まで蛇腹状とすることにより、シリンジチップ２に曲折部２ａが存在しても容易に装着することができる。
【００３０】
このようなカバー体１の内面をシリンジチップ２の外面に挿通させることにより、シリンジチップ２の外面をカバー体１により被覆する。被覆された状態でシリンジチップ２を口内へ挿入し、各種歯科治療を行う。次の患者に対しては、カバー体１をシリンジチップ２から取り外し、カバー体１を廃棄して、新しいカバー体１に付け替える。
【００３１】
このように、カバー体１をシリンジチップ２に被覆することにより、シリンジチップ２自体に血液等が付着するのを防止することができ、シリンジチップ２の滅菌処理の手間を大幅に削減することができる。また、カバー体１を使い捨てることによって、衛生的にも清潔で、また、視覚的にも患者に安心感を与えることができる。
【００３２】
本実施の形態におけるカバー体１を用いた場合であっても、シリンジチップ２の滅菌処理を行うことが望ましい。ただし、このような使い捨て容易なカバー体１を備えることにより、シリンジチップ２本体の滅菌処理のための手間と時間を大幅に削減することができる。
【００３３】
ここで、本実施の形態におけるカバー体１の製造方法について説明する。図２は図１のカバー体の製造方法を示す図である。
【００３４】
まず、所定の大きさの紙片１０の少なくともいずれか一面に蝋等（図示せず）を塗布することにより防水膜を形成する。次に、防水膜が形成された紙片１０の長手方向（カバー体１形成時の長手方向）一端部から所定長さ分だけ山折りおよび谷折りを交互に行い、断面鋸歯状部１０ａを形成する。続いて、防水膜が形成され、耐水性を有した紙片１０を筒状に丸めることにより、管状体であるカバー体１を形成する。この際、断面鋸歯状部１０ａは、蛇腹部１ａとなる。筒状体の内径は、装着するシリンジチップ２の外径と略同一であるように形成する。これにより、可撓性が優れていない紙製のカバー体１であっても、シリンジチップ２とカバー体１との径方向の間隙から血液等が浸入することを防止することができる。なお、ラテックス等の可撓性を有する材料でカバー体１を形成する場合は、シリンジチップ２の外径より僅かに短い内径を有するように形成すると、シリンジチップ２とカバー体１との径方向の間隙から血液等が浸入することを防止することができる。
【００３５】
ここで、本実施の形態においては、防水膜を形成した面を内側にして紙片１０を筒状に丸める。表面摩擦が少ない蝋等の防水膜がカバー体１の内側に形成されることにより、シリンジチップ２への装着時にすべりがよくなり、容易に装着可能となる。また、このことによって、カバー体１の内径とシリンジチップ２の外径とをより同一化させることができるため、シリンジチップ２とカバー体１との径方向の間隙から血液等が浸入することを防止することができる。
【００３６】
以上のように、材料費の安価な紙を用いてカバー体１を形成することにより、コストを低減することができるとともに、紙材はリサイクル可能であるため、省資源化を図ることができる。
【００３７】
本実施の形態において、前記カバー体１は、前記シリンジチップ２の口内挿入側の先端部より所定間隔ｈだけ残して装着されるように構成される。
【００３８】
この場合、図１（ｃ）に示されるように、カバー体１の装着時、シリンジチップ２の口内挿入側の先端部は、所定間隔ｈだけカバー体１によって被覆されない状態が保たれる。シリンジチップ２の口内挿入側の先端部には、図１（ｂ）に示されるように、水噴射口２ｗや、空気噴射口２ａがあり、治療時の多くは、水、空気等が噴射されており、衛生上問題となる血液や細菌等は、当該先端部には、付着し難い。一方、シリンジチップ２の側面部は、治療時口内にあって、治療によって口内に拡散した血液や細菌等が付着し易い。
【００３９】
したがって、カバー体１を当該先端部から所定間隙ｈだけ残して装着することにより、この噴射口２ｗ，２ａから各種噴射物が噴射する際に装着されたカバー体１が当該噴射の勢いにより外れてしまうことを防止しつつ、シリンジチップ２自体（主にシリンジチップ２の側面）に血液等が付着するのを防止することができ、シリンジチップ２の滅菌処理の手間を大幅に削減することができる。
【００４０】
なお、本実施の形態においては、このカバー体１の材質として紙製のカバー体１をもとに説明したが、プラスチック製のシリンジチップ２よりも安価に制作できるものであればよく、例えば、ポリプロピレン、ラテックスゴム、またはこれらを組み合わせて形成される複合体等により形成してもよい。
【００４１】
また、シリンジの用途は、水／空気／霧が切替えられる３ウェイシリンジに特に限定されるものではなく、水、空気、霧のそれぞれが単独で噴射されるシリンジ、レジン塗布用のシリンジ等、いずれの歯科治療用シリンジのためのノズル状のシリンジチップにも適用可能である。また、吸引用のバキューム管およびそのためのチップ等の用途にも適用可能である。
【００４２】
【発明の効果】
本発明に係る歯科治療用シリンジのカバー体および歯科治療用シリンジによれば、カバー体をシリンジチップに被覆することにより、シリンジチップ自体に血液等が付着するのを防止することができ、シリンジチップの滅菌処理の手間を大幅に削減することができる。また、カバー体を使い捨てることによって、衛生的にも清潔で、また、視覚的にも患者に安心感を与えることができる。
【図面の簡単な説明】
【図１】本発明の一実施の形態における歯科治療用３ウェイシリンジを示す概略図である。
【図２】図１のカバー体の製造方法を示す図である。
【図３】従来の歯科治療用３ウェイシリンジを示す概略図である。
【符号の説明】
１  カバー体
２  シリンジチップ
３  シリンジ本体
１０  紙片
１ａ  蛇腹部
ｈ  間隔
【図１】
2004201742.tif 000003
【図２】
2004201742.tif 000004
【図３】
2004201742.tif 000005